(57)【要約】      （修正有）【課題】安価で、持続性の高い体形補正効果や健康促進効果や疼痛緩和効果のあるインナーおよびレギンスを提供する。【解決手段】３２〜３８テラヘルツの共鳴電磁波を、２〜１２時間、２００℃〜９０℃の温度条件下で、インナーやレギンスに照射し、インナー１やレギンス自体を共鳴電磁波の転写放射体とすることにより、着衣した体１０に３２〜３８テラヘルツの共鳴電磁波６を放射する。【選択図】図２
0003197193.tif 000002
【実用新案登録請求の範囲】
【請求項１】
３２〜３８テラヘルツの共鳴電磁波を放射することを特徴とするインナーおよびレギンス。
【考案の詳細な説明】
【技術分野】
【０００１】  本考案は、３２〜３８テラヘルツの共鳴電磁波を、放射することを特徴とする機能性インナーとレギンスに関するものである。
【背景技術】
【０００２】  近年、薄手で肌に密着し、ファッション性の高い肌着（インナー）やタイツ状（レギンス）の保温や体形補正を目的とした機能性衣類が流行している。【０００３】  また遠赤外線領域の共鳴電磁波を放射するセラミックや金属の粉末や磁石を含んだ機能性インナーやレギンスも開発されているが、効果の安定性や均一性や耐久性に問題があるものがほとんどである。その主な理由として遠赤外線領域電磁波の発生源や周波数が特定されておらず、また現在の技術レベルでその周波数や効果を定量的に解析することが難しいためと考えられる。
【特許文献１】特開２００５−２８１９４４
【特許文献２】実用新案公開平６−８５３０４
【特許文献３】登録実用新案第３０１７８１８号
【考案の概要】
【考案が解決しようとする課題】
【０００４】  近年、体形補正下着が開発されている。しかし、効果が明確でないものが多く、価格も高いものが多いことが、問題となっている。【０００５】  また、磁石や遠赤外線を放射する金属や鉱石やセラミックを練りこんだり、織り込んだ繊維による健康下着も開発されているが、放射している電磁波の周波数が明確でないものが多く、耐久性にも問題があった。
【課題を解決するための手段】
【０００６】  このような課題を解決するために本考案者は、３２〜３８テラヘルツの共鳴電磁波を、２〜１２時間、２０℃〜９０℃の温度条件下で、化学繊維や天然繊維製品に照射することで、当該繊維製品が当該共鳴電磁波の転写体となり、自らが当該共鳴電磁波の発射体となることを見出し、本考案をなすに至った。【０００７】  すなわち、上記課題を解決するために本発明では、３２〜３８テラヘルツの共鳴電磁波を放射する物質と、インナーまたはレギンスを近接させ、２０℃〜９０℃の温度条件下で、２〜１２時間放置し、当該共鳴電磁波の放射体から発射される電磁波を、当該インナーやレギンスに転写し、共振作用により、当該インナーやレギンス自体を当該共鳴電磁波の放射体とする。【０００８】  インナーやレギンス自体を共鳴電磁波の放射体とすることで、磁力や遠赤外線電磁波を放射する鉱石やセラミックや金属の粉末を含ませた繊維よりも耐久性が増し、当該粉末の剥離により効力を減じるという問題を解決できる。【０００９】  また、インナーやレギンスから放射される共鳴電磁波の周波数を３２〜３８テラヘルツと限定することで、周波数によって効果が期待できないという問題点を解決できる。
【考案の効果】
【００１０】  本考案によれば、効果が明確で持続性の高い３２〜３８テラヘルツの共鳴電磁波を放射するインナーやレギンスを低コストで、大量に提供できる。【００１１】  また、本考案によるインナーやレギンスは、着衣する人体に、約３０℃〜約９０℃の温度エネルギーに相当する３２〜３８テラヘルツの共鳴電磁波を放射し、着衣する人体の水素結合を共振励起し、当該水素結合を分離する。そして当該水素結合から放出された電子が高速で移動し、他の原子や分子と衝突することにより、衝突エネルギーが発生し、基礎体温を高め、免疫力を改善する。【００１２】  また、当該電磁波は、当該インナーやレギンスを着衣する人体の血液の水素結合を共振励起し、浄化することによって、酸素や栄養を有効に体内の各細胞に運ぶことができ、健康を促進する。【００１３】  また、当該電磁波は、当該繊維製品を着衣する人体の筋肉細胞やその他の疲労蓄積等で硬化した細胞の水素結合を共振励起し、柔軟にすることで、血管や神経の圧迫を軽減し、疼痛を緩和する。【００１４】  また、当該電磁波は、当該繊維製品を着衣する人体の余剰体脂肪の水素結合を分離し、低分子量化することで燃焼しやすくし、肥満を抑止する。
【考案を実施するための形態】
【００１５】  以下、本考案の実施形態について図面を参照しながら詳細に説明する。
図１は、インナーとレギンスの全体的な概念を示す。
図２は、図１のＡ矢視で、本考案のインナーやレギンスの作用概念を示す人体の断面図である。
【００１６】  図１に示すように、本考案の共鳴電磁波の転写体であるインナー１やレギンス２を人体１０が着衣する。
【００１７】  図２に示すように、本考案の共鳴電磁波の転写体であるインナー１またはレギンス２から、人体１０に共鳴電磁波６が放射される。
【００１８】  人体１０には、血液や細胞組織に含まれる水があり、水素結合で水分子クラスター３を形成している。当該水分子クラスター３の水素結合は、インナー１レギンス２から放射される共鳴電磁波６により共振励起され、当該水素結合が分断され、電子４が放出される。
【００１９】  水素結合の分断により放出された電子４は高速で動き、周辺の分子や原子に衝突し、衝突エネルギーを発生させ、当該インナー１またはレギンス２を着衣する人体１０の基礎体温を高め、血流を改善し、免疫力を向上させる。
【００２０】  また、当該共鳴電磁波６は、当該インナー１やレギンス２を着衣する人体１０の筋肉細胞やその他の疲労蓄積等で硬化した細胞の水素結合を共振励起し、柔軟にすることで、血管や神経の圧迫を軽減し、疼痛を緩和する。
【００２１】  また、当該共鳴電磁波６は、当該インナー１やレギンス２を着衣する人体１０の余分な体脂肪の水素結合を分断し低分子量化することで燃焼しやすくし、痩身効果を発揮する。
【００２２】  さらに、当該共鳴電磁波６は、当該インナー１やレギンス２を着衣する人体１０の神経電子５の伝達を円滑にする。
【実施例】
【００２３】  数多くの人たちの試着テストを通して下記の効果が確認されている。
＊温度調節効果  ：冬暖かく、夏涼しい。
＊疼痛緩和      ：肩こり、腰痛、神経痛、打撲等の痛みを緩和する。
＊痩身効果      ：体内の余分な脂肪分を燃焼し、肥満を抑止する。
＊消臭効果      ：汗の臭いや体臭・加齢臭を消臭する。
【産業上の利用可能な分野】
【００２４】  本考案は、衣服ばかりでなく、床ずれ防止や快眠用のベッドシーツや毛布、あるいは乳がん防止ブラジャーやサポーター等の医療健康分野でも利用できる。
【図面の簡単な説明】
【００２５】
【図１】は、本考案のインナーとレギンスの全体的な概念を示す。
【図２】は、図１のＡ矢視で、本考案のインナーやレギンスの作用概念を示す人体の断面図である。
【符号の説明】
【００２６】１    インナー
２    レギンス
３    水分子クラスター
４    電子
５    神経電子
６    共鳴電磁波
１０  人体
【図１】
0003197193.tif 000003
【図２】
0003197193.tif 000004
【手続補正書】
【提出日】平成27年2月17日(2015.2.17)
【手続補正１】
【補正対象書類名】実用新案登録請求の範囲
【補正対象項目名】全文
【補正方法】変更
【補正の内容】
【実用新案登録請求の範囲】
【請求項１】
３２〜３８テラヘルツの共鳴電磁波を、２〜１２時間、２００℃〜９０℃の温度条件下で、インナーやレギンスに照射することで、当該インナーやレギンス自体を当該共鳴電磁波の転写放射体とすることにより３２〜３８テラヘルツの共鳴電磁波を放射することを特徴とするインナーおよびレギンス。